(57)【要約】【課題】絞り駆動レバーが当接部との間で発生するバウンドを抑制することにより、撮影のコマ速を上げることができるカメラの絞り制御装置を提供する。【解決手段】絞りのリセット動作である絞り開放動作において、ピン１８ａと腕１５ｆとがバウンドするのを防止するため、絞りブレーキバネ５２の先端をラチェットギヤ軸２３ａに対してラジアル方向から接触させて、絞りレバー１８に連動するラチェットギヤ２３の回転を制動する。すなわち、リセット動作で作動するモータＭにより、ギヤ４４の軸４８の端部に設けられた円板５０を回転させる。これにより、ピン５０ａが絞りブレーキレバー５１を右回転方向に押し下げ、絞りブレーキバネ５２の先端をラチェットギヤ軸２３ａに対してラジアル方向から接触させる。【選択図】      図２
2004252034.tif 000002
【特許請求の範囲】
【請求項１】
レンズ絞りを初期値に設定する初期位置から前記レンズ絞りを制御値に設定する制御位置へ変化させる絞り連動手段と、
前記絞り連動手段を前記制御位置で停止させる絞り停止手段と、
前記絞り連動手段を前記初期位置に復帰させる絞り復帰手段と、
前記絞り復帰手段により前記絞り連動手段を前記初期位置に復帰させる過程において、前記絞り復帰手段に連動して、復帰動作開始後、初期位置へ復帰する直前から前記絞り連動手段の復帰動作に制限を加える制限手段とを備えることを特徴とするカメラの絞り制御装置。
【請求項２】
請求項１に記載のカメラの絞り制御装置において、
前記制限手段は、前記絞り連動手段が初期位置へ復帰完了後に前記制限を解除することを特徴とするカメラの絞り制御装置。
【請求項３】
請求項１または請求項２に記載のカメラの絞り制御装置において、
前記制限手段は、前記絞り復帰手段の復帰動作開始後、前記絞り連動手段が初期位置へ復帰する直前までは前記絞り連動手段の復帰動作に制限を加えないことを特徴とするカメラの絞り制御装置。
【請求項４】
請求項１〜３のいずれかの項に記載のカメラの絞り制御装置において、
前記絞り連動手段はギヤ列から構成され、
前記制限手段は前記ギヤ列の少なくとも１つのギヤの回転軸に対して負荷を加えることを特徴とするカメラの絞り制御装置。
【請求項５】
請求項４に記載のカメラの絞り制御装置において、
前記制限手段は前記ギヤ列の少なくとも１つのギヤの回転軸に対してラジアル方向から負荷を加える線バネを備えることを特徴とするカメラの絞り制御装置。
【請求項６】
請求項４または５に記載のカメラの絞り制御装置において、
前記制限手段は前記ギヤ列の最も回転数が高くなるギヤの回転軸に対して負荷を加えることを特徴とするカメラの絞り制御装置。
【請求項７】
請求項１〜６のいずれかの項に記載のカメラの絞り制御装置において、
前記絞り復帰手段を駆動する動力源により前記制限手段をも駆動することを特徴とするカメラの絞り制御装置。
【請求項８】
請求項６に記載のカメラの絞り制御装置において、
前記絞り連動手段は第１の当接部を有し、
前記絞り復帰手段は第２の当接部を有し、
前記第１の当接部は前記第２の当接部に圧接し、
前記絞り復帰手段は前記第２の当接部により前記第１の当接部を押動して前記絞り連動手段を前記制御位置まで移動させるとともに、待機位置に復帰して前記絞り連動手段を前記初期位置に復帰させ、
前記制限手段は、前記絞り復帰手段が前記待機位置に復帰して前記絞り連動手段を前記初期位置に復帰させる過程において、前記絞り復帰手段に連動して、復帰動作開始後、前記第１の当接部と前記第２の当接部とが離間した後再び接する直前から前記絞り連動手段の復帰動作に制限を加えることを特徴とするカメラの絞り制御装置。
【請求項９】
請求項１〜８のいずれかの項に記載のカメラの絞り制御装置において、
前記絞り連動手段を構成する主要構成要素の回転軸の中心軸と、
前記絞り停止手段を構成する主要構成要素の回転軸の中心軸と、
前記絞り復帰手段を構成する主要構成要素の回転軸の中心軸と、
前記制限手段を構成する主要構成要素の回転軸の中心軸とは、同一方向に向けて配設されていることを特徴とするカメラの絞り制御装置。
【請求項１０】
請求項１〜９のいずれかの項に記載の絞り制御装置を備えることを特徴するカメラ。
【発明の詳細な説明】
【０００１】
【発明の属する技術分野】
本発明は、レンズ絞りを駆動するカメラの絞り制御装置に関する。
【０００２】
【従来の技術】
カメラ等に使用される絞り制御装置では、レンズに設けられた絞りを駆動するカメラ側の絞り駆動レバーの駆動量をギヤ列により増速・拡大し、ギヤの回転数としてフォトカプラ等により検出する。そしてこの検出値が所定の値となったとき、ギヤ列に対して制動をかけて当該ギヤ列とギヤ列に連動している絞り駆動レバーを停止させることで所望の絞り値を得る。この絞り制御装置では、増速されたギヤ列の慣性モーメントのため、撮影終了後の絞りの開放側復帰時、ギヤ列に連動している絞り駆動レバーが絞り駆動レバーを開放側で制限する部材と衝突して、当該当接部との間でバウンドが発生する。この問題を解決するために、ギヤ列の少なくとも１つのギヤに制動力を付与する制限部材を設けている（特許文献１参照）。
【０００３】
【特許文献１】
特開平９−１３３９５３号公報
【０００４】
【発明が解決しようとする課題】
しかしながらこの方式では、ギヤの回転を常に制動するため、撮影のコマ速をある程度以上には上げられなかった。
【０００５】
本発明は、絞り駆動レバーが当接部との間で発生するバウンドを抑制することにより、撮影のコマ速を上げることができるカメラの絞り制御装置を提供する。
【０００６】
【課題を解決するための手段】
（１）  請求項１の発明によるカメラの絞り制御装置は、レンズ絞りを初期値に設定する初期位置からレンズ絞りを制御値に設定する制御位置へ変化させる絞り連動手段と、絞り連動手段を制御位置で停止させる絞り停止手段と、絞り連動手段を初期位置に復帰させる絞り復帰手段と、絞り復帰手段により絞り連動手段を初期位置に復帰させる過程において、絞り復帰手段に連動して、復帰動作開始後、初期位置へ復帰する直前から絞り連動手段の復帰動作に制限を加える制限手段とを備えることを特徴とする。
（２）  このカメラの絞り制御装置では、制限手段は、絞り連動手段が初期位置へ復帰完了後に制限を解除するようにしてもよい。
（３）  また、制限手段は、絞り復帰手段の復帰動作開始後、絞り連動手段が初期位置へ復帰する直前までは絞り連動手段の復帰動作に制限を加えないことが好ましい。
（４）  さらに、絞り連動手段をギヤ列から構成し、制限手段はギヤ列の少なくとも１つのギヤの回転軸に対して負荷を加えてもよい。この場合、制限手段はギヤ列の少なくとも１つのギヤの回転軸に対してラジアル方向から負荷を加える線バネを備えるようにしてもよい。この場合、制限手段はギヤ列の最も回転数が高くなるギヤの回転軸に対して負荷を加えることが好ましい。
（５）  絞り復帰手段を駆動する動力源により制限手段をも駆動することとしてもよい。
（６）  制限手段はギヤ列の最も回転数が高くなるギヤの回転軸に対して負荷を加える場合、絞り連動手段は第１の当接部を有し、絞り復帰手段は第２の当接部を有し、第１の当接部は前記第２の当接部に圧接し、絞り復帰手段は前記第２の当接部により第１の当接部を押動して絞り連動手段を制御位置まで移動させるとともに、待機位置に復帰して絞り連動手段を初期位置に復帰させ、制限手段は、絞り復帰手段が待機位置に復帰して絞り連動手段を初期位置に復帰させる過程において、絞り復帰手段に連動して、復帰動作開始後、第１の当接部と第２の当接部とが離間した後再び接する直前から絞り連動手段の復帰動作に制限を加えることしてもよい。
（７）  絞り連動手段を構成する主要構成要素の回転軸の中心軸と、絞り停止手段を構成する主要構成要素の回転軸の中心軸と、絞り復帰手段を構成する主要構成要素の回転軸の中心軸と、制限手段を構成する主要構成要素の回転軸の中心軸とは、同一方向に向けて配設されていることとしてもよい。
（８）  請求項１０の発明によるカメラは、請求項１〜９のいずれかの項に記載の絞り制御装置を備えることを特徴する。
【０００７】
【発明の実施の形態】
―――第１の実施の形態の構成―――
図１〜１２を参照して、本発明によるカメラの絞り制御装置の第１の実施の形態を説明する。図１は、本発明によるカメラの絞り制御装置を搭載した一眼レフカメラボディとカメラボディに装着するレンズを示した斜視図である。カメラボディにレンズを装着すると、レンズ側絞りレバー４６は、カメラ側の絞りレバー１８により駆動されて所定の絞り値に制御される。図２は、カメラボディ内部の絞り制御装置の斜視図である。絞りレバー１８は、軸Ｘ１に対して回動可能に支持され、その一端がレンズ側絞りレバー４６に当接している。絞りレバー１８に植設されたピン１８ａは、バネ１７により押されて絞りレバー１８に左旋力が与えられ、軸Ｘ１を中心に回動可能に支持された後述する絞り連動レバー１５の腕１５ｆに係止される。
【０００８】
絞りレバー１８の他端に設けられた扇形ギヤ１８ｂは、増速ギヤ２２の小ギヤ部２２ａと噛合している。増速ギヤ２２の大ギヤ部２２ｂはラチェットギヤ２３の小ギヤ部２３ｃと噛合している。すなわち、扇形ギヤ１８ｂ、増速ギヤ２２、およびラチェットギヤ２３により増速ギヤ列が構成されている。ラチェットギヤ２３のラチェットギヤ車２３ｄには小穴２３ｂが複数設けられ、このラチェットギヤ車２３ｄを挟み込むようにフォトカプラ２７が設けられている。
【０００９】
絞り停止レバー２９は、軸Ｘ２に回動可能に支持されて、一端にはラチェットギヤ車２３ｄに係合するように係合部２９ｃが設けられ、他端側には絞りマグネットＭＧ２に吸着されるアーマチャ２８が設けられている。この絞り停止レバー２９は、バネ３０により左旋力が与えられている。絞り停止レバー２９の他端の当接部２９ｂには、後述する絞りマグネットリセットレバー４１が下降して当接する。
【００１０】
絞り連動レバー１５には、バネ１９により右旋力が与えられている。軸Ｘ３に回動可能に支持されたスタートレバー３１の切り欠き部３１ｂにピン１５ｂが係合して、絞り連動レバー１５の右旋回が停止する。スタートレバー３１には、バネ３２により左旋力が与えられている。上述のようにスタートレバー３１の一端には切り欠き部３１ｂが設けられ、他端には当接部３１ｃが設けられている。
【００１１】
レリーズレバー３３は、軸Ｘ４に回動可能に支持されて、バネ３５により左旋力が与えられている。レリーズレバー３３の一端側にはスタートレバー３１の当接部３１ｃに当接可能な当接部３３ｂが設けられ、更にその先端である端部３３ｃは、後述するレリーズマグネットリセットレバー３６に当接可能である。レリーズレバー３３の他端側にはレリーズマグネットＭＧ１に吸着されるアーマチャ３４が設けられている。
【００１２】
モータＭにより駆動されるギヤ４４には軸４８が設けられている。この軸４８の一端にはカム４５が、他端には円板５０が設けられ、カム４５と円板５０はギヤ４４とともに一体的に回動する。ギヤ４４にはピン４４ａが植設されており、ギヤ４４が回転してピン４４ａがスイッチＳＷの一方の接点片に当接するとスイッチＳＷの接点が離間されて、スイッチＳＷをＯＦＦにする。このスイッチＳＷは、モータＭに連動するギヤ４４が所定の位相にあるか否かを検出する検出手段となる。
【００１３】
すなわちギヤ４４が左回転方向に駆動されると、ピン４４ａは、スイッチＳＷの一方の接点片をさらに押圧した後、一方の接点片との係合が解かれるので、スイッチＳＷは接点が接触してＯＮとなる。引き続きモータＭが作動してギヤ４４が１回転されると、ピン４４ａは再びスイッチＳＷの一方の接点片に当接してスイッチＳＷの接点を離間させる。このときスイッチＳＷが再びＯＦＦとなり、これを不図示の制御回路で検出してモータＭの作動を停止させている。つまりモータＭは、ギヤ４４の１回転ごとにギヤ４４が所定の位相で停止するように制御される。
【００１４】
カム４５は、カム４５が回転するにつれてその半径が大きくなるように設計された、すなわち、図２においてｒ１＜ｒ２＜ｒ３であるカム面を有し、絞り連動レバー１５に設けられたローラ１５ｄを介してカムフォロアとしての絞り連動レバー１５を駆動する。カム４５にはピン４５ａが植設されており、後述するリセットレバー３８に当接してこれを回動させる。円板５０にはピン５０ａが植設されており、後述する絞りブレーキレバー５１に当接してこれを右回転方向に回動させる。
【００１５】
リセットレバー３８は、軸Ｘ５に回動可能に支持されて、リセットレバー３８の一端３８ｂに係止しているバネ４０により左旋力が与えられている。このリセットレバー３８の一端３８ｂは、軸Ｘ５に回動可能に支持されたレリーズマグネットリセットレバー３６の上部に当接するよう略直角に折り曲げられている。リセットレバー３８の他端には、長穴３８ａが設けられ、この長穴３８ａに絞りマグネットリセットレバー４１の上端に設けられたピン４１ａが緩挿されている。リセットレバー３８の下端３８ｃは、回転したカム４５のピン４５ａが当接するようになっている。リセットレバー３８の下端３８ｃにカム４５のピン４５ａが当接すると、リセットレバー３８はバネ４０の左旋力に抗して右旋回する。
【００１６】
レリーズマグネットリセットレバー３６は、上述のように軸Ｘ５に回動可能に支持されて、バネ３７により付与される右旋力によって、リセットレバー３８の略直角に折り曲げられた一端３８ｂへ係止されている。レリーズマグネットリセットレバー３６が右旋すると、レリーズマグネットリセットレバー３６の先端３６ｂは、レリーズレバー３３の端部３３ｃと当接して、レリーズレバー３３を右旋させる。これにより、レリーズレバー３３に設けられたアーマチャ３４がレリーズマグネットＭＧ１に吸着される。
【００１７】
絞りマグネットリセットレバー４１は、上述のように上端に設けられたピン４１ａがリセットレバー３８の長穴３８ａに緩挿されている。ピン４１ａは、バネ３９により押圧されて長穴３８ａの下端に当接して係止している。絞りマグネットリセットレバー４１の下端側に設けられた長穴４１ｂには固定ピン４２が緩挿されている。後述するように、絞りマグネットリセットレバー４１が押し下げられると、下端４１ｃが絞り停止レバー２９に当接して絞り停止レバー２９を右旋させる。これにより、絞り停止レバー２９に設けられたアーマチャ２８が絞りマグネットＭＧ２に吸着される。
【００１８】
絞りブレーキレバー５１は、軸Ｘ６を中心に回動可能であり、一端側に植設されたピン５５に係止しているバネ５３により左旋力が与えられ、固定ピン５４に当接している。絞りブレーキレバー５１の他端側には、軸Ｘ６を中心に左回転方向に予圧された線バネ（絞りブレーキバネ）５２が取り付けられている。絞りブレーキバネ５２の右回転方向への動きは絞りブレーキレバー５１の他端で規制されている。後述するように、円板５０が回転してピン５０ａが絞りブレーキレバー５１を右回転方向に押し下げると、絞りブレーキバネ５２の先端がラチェットギヤ軸２３ａに対してラジアル方向から接触し、ラチェットギヤ２３の回転を制動する。図２に示すように、絞り制御装置の各部の回転軸は、レリーズレバー３５を除き、すべて同一方向ＤＲに配向されている。
【００１９】
―――動作説明―――
上記構成のカメラの絞り制御装置の動作について、図２を参照して以下に説明する。図２は、撮影動作開始前の絞り制御装置の状態を示している。すなわち、撮影開始前の状態では、ピン１５ｂがスタートレバー３１の切り欠き部３１ｂによって係止されることで、絞り連動レバー１５はバネ１９による右旋力に抗して停止している。絞り連動レバー１５に従動する絞りレバー１８は、レンズ側絞りレバー４６をバネ４７に抗して持ち上げている。このとき、レンズの絞りは開放状態である。絞り停止レバー２９は、アーマチャ２８が絞りマグネットＭＧ２により吸着されているので、バネ３０に抗して係合部２９ｃとラチェットギヤ車２３ｄとの係合が解除された姿勢である。レリーズレバー３３は、アーマチャ３４がレリーズマグネットＭＧ１により吸着されているので、バネ３５に抗して当接部３３ｂとスタートレバー３１の当接部３１ｃとが離間した状態である。
【００２０】
撮影動作開始前、モータＭは停止している。モータＭで駆動されるギヤ４４に植設されたピン４４ａは、スイッチＳＷの一方の接点片に当接してスイッチＳＷの接点を離間させている。すなわち、撮影開始前の状態では、スイッチＳＷはＯＦＦである。カム４５は、ローラ１５ｄを押し上げて絞り連動レバー１５を左旋させた後、ローラ１５ｄから離間し、絞り連動レバー１５の動作を制限しない位置で停止している。このとき、カム４５に植設されているピン４５ａは、リセットレバー３８の下端３８ｃに当接する直前の位置で停止している。円板５０は、絞りブレーキレバー５１からピン５０ａが離間した位置で停止している。
【００２１】
カメラボディの不図示のシャッターボタンが押圧されてレリーズ信号が入力されると、レリーズマグネットＭＧ１に電圧が印加され、アーマチャ３４を開放する。この結果、バネ３５による左旋力によりレリーズレバー３３が左旋し、レリーズレバー３３の当接部３３ｂでスタートレバー３１の当接部３１ｃを押し下げる。スタートレバー３１の当接部３１ｃが押し下げられて、スタートレバー３１が右旋され、切り欠き部３１ｂと絞り連動レバー１５のピン１５ｂとの係止が解除されると、絞り連動レバー１５は、バネ１９の右旋力により右旋を開始する。これにより、絞り連動レバー１５の腕１５ｆが絞りレバー１８のピン１８ａを軸Ｘ１に対して右旋させるので、絞りレバー１８は右旋されて、絞り込み動作が開始される。すなわち、絞りレバー１８の右旋により、レンズ側絞りレバー４６がバネ４７により動作して、レンズの絞りを開放状態から絞り込む。
【００２２】
絞りレバー１８の右旋により、小ギヤ部２２ａで扇形ギヤ１８ｂに噛合する増速ギヤ２２が左回転し、小ギヤ部２３ｃで増速ギヤ２２の大ギヤ部２２ｂに噛合するラチェットギヤ２３が増速ギヤ２２により増速されて右回転する。ラチェットギヤ２３の回転数は、ラチェットギヤ車２３に設けられた小穴２３ｂがフォトカプラ２７を通過することで発生するパルスを不図示の制御回路によって計測して検出する。これにより、絞りレバー１８の駆動量、すなわちレンズの絞り値は、フォトカプラ２７で発生するパルス数で計測できる。
【００２３】
不図示の制御回路によって計測されたフォトカプラ２７で発生するパルス数が、所望の絞り値に相当する計数値になると、不図示の制御回路から絞りマグネットＭＧ２に電圧が印加され、アーマチャ２８を開放する。この結果、バネ３０による左旋力により絞り停止レバー２９が左旋し、係合部２９ｃがラチェットギヤ車２３ｄに係合してラチェットギヤ２３の回転を停止させる。
【００２４】
上述の絞り制御装置の動作とは別に、カメラボディに内蔵された不図示のミラーが撮影光路から待避するミラーアップの動作が実行される。次いで、周知の装置により不図示のシャッタが作動して撮影動作が行われ、引き続き各部のリセット動作が行われる。以下、リセット動作について説明する。
【００２５】
リセット動作では、モータＭが作動してギヤ４４が左回転方向に駆動される。上述したように、ギヤ４４は１回転すると再び停止する。このギヤ４４が１回転する間に、以下に述べる各部のリセット動作が行われる。まず、レリーズマグネットＭＧ１のリセットについて説明する。ギヤ４４とともにカム４５が左回転方向に回転すると、ピン４５ａがリセットレバー３８の下端３８ｃに当接してリセットレバー３８を右旋させ、バネ３７を介してレリーズマグネットリセットレバー３６も一体的に右旋させる。レバー先端３６ｂは、レリーズマグネットリセットレバー３６の右旋により、レリーズレバー３３の端部３３ｃに当接してこれを押し上げ、アーマチャ３４がレリーズマグネットＭＧ１に吸着されるまでレリーズレバー３３を右旋させる。リセットレバー３８が右旋した際にバネ３７によってレリーズマグネットリセットレバー３６の先端３６ｂがレリーズレバー３３の端部３３ｃを押し上げる力は、バネ３５によってレリーズレバー３３の端部３３ｃを押し下げる力よりも大となるようになっている。アーマチャ３４がレリーズマグネットＭＧ１に吸着された後もリセットレバー３８は右旋するが、このときにはバネ３７が撓むことで、リセットレバー３８の右旋量（オーバーチャージ分）を吸収する。以上の動作により、レリーズマグネットＭＧ１のリセットが完了する。
【００２６】
レリーズマグネットＭＧ１のリセットと同様、絞りマグネットＭＧ２のリセットは、リセットレバー３８が右旋することで行われる。ずなわち、ギヤ４４とともにカム４５が左回転方向に回転すると、ピン４５ａがリセットレバー３８の下端３８ｃに当接してリセットレバー３８を右旋させる。これにより、バネ３９がピン４１ａを下方に押動して、絞りマグネットリセットレバー４１を押し下げる。絞りマグネットリセットレバー４１が押し下げられると、下端４１ｃはラチェットギヤ車２３ｄと係合している絞り停止レバー２９の当接部２９ｂと当接し、これを押し下げてアーマチャ２８が絞りマグネットＭＧ２に吸着されるまで絞り停止レバー２９を右旋させる。リセットレバー３８が右旋した際にバネ３９によって絞りマグネットリセットレバー４１を介して絞り停止レバー２９の当接部２９ｂを押し下げる力は、バネ３０によって絞り停止レバー２９の当接部２９ｂを押し上げる力よりも大となるようになっている。アーマチャ２８が絞りマグネットＭＧ２に吸着された後もリセットレバー３８は右旋するが、このときにはバネ３９が撓むことでリセットレバー３８の右旋量（オーバーチャージ分）を吸収する。以上の動作により、絞りマグネットＭＧ２のリセットが完了する。
【００２７】
次に、絞りのリセット動作である絞り開放動作について説明する。カム４５の左回転によりローラ１５ｄに最も近いカム４５のカム面は、カムの径が徐々に大きくなる、すなわちｒ１→ｒ２→ｒ３と変化していくので、ついにはローラ１５ｄに当接し、ローラ１５ｄを介して絞り連動レバー１５を左旋させる。なお、カム４５の形状は、上述の各マグネットＭＧ１，２のリセット動作終了の後にカム４５がローラに接するよう設計されている。カム４５によって、絞り連動レバー１５は、ピン１５ｂがスタートレバー３１の切り欠き部３１ｂと係合するまで左旋される。絞り連動レバー１５の左旋により、バネ１７は絞りレバー１８のピン１８ａを押圧して、絞りレバー１８を左旋させる。この絞りレバー１８の左旋により、レンズ側絞りレバー４６は押し上げられて、レンズの絞りが開放される。また、絞りレバー１８の左旋により、扇形ギヤ１８ｂが増速ギヤを右回転させ、ラチェットギヤ２３を左回転させる。以上の動作により、絞り開放動作が完了する。すなわちリセット動作が完了する。
【００２８】
上述の絞り開放動作において、絞り連動レバー１５の左旋により、バネ１７が絞りレバー１８のピン１８ａを押圧して、絞りレバー１８を左旋させるが、絞り連動レバー１５の左旋に絞りレバー１８の左旋が追いつかず、ピン１８ａが腕１５ｆから離間した後、衝突が起きる。ピン１８ａと腕１５ｆとの衝突後、ピン１８ａと腕１５ｆとがバウンドするのを防止するため、第１の実施の形態では、ラチェットギヤ軸２３ａに対して制動を行う。以下、ラチェットギヤ軸２３ａに対する制動動作について説明する。
【００２９】
図３は、リセット動作開始直前の絞りブレーキレバー５１と円板５０の位置関係を示す図である。リセット動作では、モータＭが作動し、ギヤ４４の軸４８の他端に設けられた円板５０もギヤ４４とともに一体的に回動する。上述のように、円板５０の回動により、円板５０に植設されたピン５０ａが絞りブレーキレバー５１に当接する。さらに円板５０が回動すると、ピン５０ａがバネ５３に抗して絞りブレーキレバー５１を軸Ｘ６を中心に右旋させる。この結果、図４に示すように、絞りブレーキレバー５１の他端側の絞りブレーキバネ５２が、ラチェットギヤ軸２３ａの下方からラジアル方向に当接して、ラチェットギヤ軸２３ａの回転を制動する。
【００３０】
図５〜１２は、円板５０の回転位相を基準とした各部の位相を示す図である。図５（ａ）は、リセット動作開始直前の円板５０の位相における、ピン５０ａと絞りブレーキレバー５１との位置関係を示す。図５（ｂ）は、リセット動作開始直前の円板５０の位相における、絞り連動レバー１５の腕１５ｆと絞りレバー１８のピン１８ａとの位置関係を示す。図５（ｃ）は、リセット動作開始直前の円板５０の位相における、ラチェットギヤ軸２３ａと絞りブレーキバネ５２との位置関係を示す。図６（ａ）〜（ｃ）は、リセット動作開始後、円板５０が４５度左回転した位相における、各部の位相を示す図である。同様に、図７〜１２は、直前の番号の図からさらに円板５０が４５度左回転した位相における、各部の位相を示す図である。なお、図５（ａ）に示すリセット動作開始直前の円板５０の位相を、円板５０のリセット動作スタート位置（スタート位相）と呼び、以下の説明において、スタート位相から左回転した位置（位相）を用いて説明する。
【００３１】
図５（ａ）に示すように、リセット動作開始直前の円板５０は、ピン５０ａが絞りブレーキレバー５１から離れ、ピン５０ａが最も右端に位置する位相から略４５度左回転した位相で停止している。このとき、絞り停止レバー２９がラチェットギヤ車２３ｄを係止しているので、ラチェットギヤ２３に従動する絞りレバー１８は、図５（ｂ）に示すように、レンズの絞り値が所定の値となる位置で停止されている。したがって、ピン１８ａと、ピン１８ａにより係止している絞り連動レバー１５も、レンズの絞り値が所定の値となる位置で停止している。絞りブレーキレバー５１は、その一端がバネ５３による左旋力によって固定ピン５４に当接している。図５（ｃ）に示すように、絞りブレーキレバー５１の他端側に設けられた絞りブレーキバネ５２は、ラチェットギヤ軸２３ａから離間している。
【００３２】
上述のとおり、図６（ａ）〜（ｃ）は、スタート位置（図５（ａ）〜（ｃ））から円板５０が略４５度左回転した位相における、各部の位相を示す図である。この状態では、ピン５０ａは絞りブレーキレバー５１と当接しないため、絞りブレーキレバー５１および絞りブレーキバネ５２に変化はない（図６（ａ），（ｃ））。また、円板５０と一体的に回動するカム４５は、カム面が絞り連動レバー１５のローラ１５ｄと当接しない位相であるため、絞り連動レバー１５およびピン１８ａに変化はない。ただし、スタート位置から円板５０が略４５度左回転する間に、カム４５に植設されたピン４５ａによりリセットレバー３８が駆動されて、上述の各マグネットＭＧ１，２のリセット動作が完了する。
【００３３】
図７（ａ）〜（ｃ）は、図６の状態からさらに円板５０が略４５度左回転した、すなわちスタート位置から円板５０が略９０度左回転した位相における、各部の位相を示す図である。この状態では、ピン５０ａは絞りブレーキレバー５１と当接しないため、絞りブレーキレバー５１および絞りブレーキバネ５２に変化はない（図７（ａ），（ｃ））。円板５０と一体的に回動するカム４５は、カム面が絞り連動レバー１５のローラ１５ｄに当接し、ローラ１５ｄを押し上げて絞り連動レバー１５の左旋を開始させる。絞り連動レバー１５の左旋開始直後は、ピン１８ａは腕１５ｆに当接している。
【００３４】
図８（ａ）〜（ｃ）は、図５の状態からさらに円板５０が略４５度左回転した、すなわちスタート位置から円板５０が略１３５度左回転した位相における、各部の位相を示す図である。この状態では、ピン５０ａは絞りブレーキレバー５１と当接するが、絞りブレーキレバー５１および絞りブレーキバネ５２に変化はない（図８（ａ），（ｃ））。絞り連動レバー１５の左旋は進行し、ピン１８ａが腕１５ｆから離間し始める（図８（ｃ））。
【００３５】
図９（ａ）〜（ｃ）は、図６の状態からさらに円板５０が略４５度左回転した、すなわちスタート位置から円板５０が略１８０度左回転した位相における、各部の位相を示す図である。この状態では、ピン５０ａが絞りブレーキレバー５１を右旋させ、絞りブレーキバネ５２がラチェットギヤ軸２３ａに当接する（図９（ａ），（ｃ））。絞り連動レバー１５の左旋により、ピン１８ａと腕１５ｆとの離間距離が広がる（図９（ｃ））。
【００３６】
図１０（ａ）〜（ｃ）は、図９の状態からさらに円板５０が略４５度左回転した、すなわちスタート位置から円板５０が略２２５度左回転した位相における、各部の位相を示す図である。この状態では、図９（ａ）の状態より、ピン５０ａが絞りブレーキレバー５１をさらに右旋させる。これにより、絞りブレーキバネ５２はラチェットギヤ軸２３ａを弾性的に押圧し、ラチェットギヤ軸２３ａの回転に対して制動力を与える（図１０（ａ），（ｃ））。ただし、絞りブレーキバネ５２がラチェットギヤ軸２３ａの回転に対して与える制動力は、バネ１７によりピン１８ａを介して絞りレバー１８に与える左旋力よりも弱くなるよう設定されている。したがって、絞りブレーキバネ５２がラチェットギヤ軸２３ａの回転に対して与える制動力によって絞りレバー１８の左旋が停止することはない。また、絞り連動レバー１５の左旋は継続しており、ピン１８ａと腕１５ｆとは離間した状態も継続している（図１０（ｃ））。
【００３７】
図１１（ａ）〜（ｃ）は、図８の状態からさらに円板５０が略４５度左回転した、すなわちスタート位置から円板５０が略２７０度左回転した位相における、各部の位相を示す図である。この状態では、図１０（ａ）の状態より、ピン５０ａは絞りブレーキレバー５１から離れる方向に移動しているため、絞りブレーキレバー５１は左旋し始めている（図１１（ａ））。但しまだこの状態では、絞りブレーキバネ５２がラチェットギヤ軸２３ａに当接して、ラチェットギヤ軸２３ａの回転に対して制動力を与えている（図１１（ｃ））。絞り連動レバー１５は、リセットされて、ピン１５ｂがスタートレバー３１の切り欠き部３１ｂと係合して停止する。また、上述した絞りブレーキバネ５２の制動力によって、ピン１８ａは腕１５ｆとバウンドすることなく腕１５ｆに当接して停止する（図１１（ｃ））。
【００３８】
図１２（ａ）〜（ｃ）は、図１１の状態からさらに円板５０が略４５度左回転した、すなわちスタート位置から円板５０が略３１５度左回転した位相における、各部の位相を示す図である。この状態では、図１１（ａ）の状態より、ピン５０ａは絞りブレーキレバー５１からさらに離れる方向に移動し、絞りブレーキレバー５１の左旋が進行して、リセット動作開始前の位置まで戻る（図１２（ａ））。絞りブレーキバネ５２もラチェットギヤ軸２３ａから離間して、リセット動作開始前の位置まで戻る（図１２（ｃ））。円板５０は、図１２（ａ）の状態からスタート位置に戻るまで略４５度左回転して、ラチェットギヤ軸２３ａに対する制動動作を終了する。
【００３９】
上述した動作がすべて終了すると、絞り制御装置は、図２に示した撮影動作開始前の状態に復帰する。上述したカメラの絞り制御装置の第１の実施の形態では、次の作用効果を奏する。
（１）  絞り制御装置のリセット動作でモータＭにより駆動される円板５０に連動して、絞り開放動作が完了する直前からラチェットギヤ軸２３ａに制動力を与える。また、ラチェットギヤ軸２３ａに制動力を与える絞りブレーキバネ５２は、絞り開放動作が完了する直前まで、および絞り開放動作が完了した後は、ラチェットギヤ軸２３ａから離間する。これにより、絞り込み動作およびリセット動作の効率を下げることなく、ピン１８ａと腕１５ｆとの離間と衝突により生じるバウンドを防止して、撮影のコマ速を上げることができる。
（２）  線バネを用いた絞りブレーキバネ５２による制動力をラチェットギヤ軸２３ａに与えるよう構成した。これにより、簡単な機器構成で制動力を得ることができる。
（３）  絞りブレーキバネ５２による制動力を、増速ギヤ列の最終段であるラチェットギヤ車２３のラチェットギヤ軸２３ａのラジアル方向から与えるように構成した。これにより、効果的に絞りレバー１８を制動できる。
（４）  絞り制御装置のリセット動作で駆動されるモータＭにより絞りブレーキレバー５１を駆動して、ラチェットギヤ軸２３ａに制動力を与えるよう構成した。これにより、部品点数を大幅に増やすことなく、絞りレバー１８を制動できる。
（５）  絞り制御装置の各部の回転軸は、レリーズレバー３５を除き、すべて同一方向に配向されている。これにより、絞り制御装置をコンパクトにすることができる。
【００４０】
―――第２の実施の形態―――
図１３，１４を参照して、本発明によるカメラの絞り制御装置の第２の実施の形態を説明する。図１３，１４は、第２の実施の形態における絞りブレーキレバー５１と、軸４８の他端に設けられたカム６０とを示す図である。図１３は、リセット動作開始直前の絞りブレーキレバー５１とカム６０との位置関係を示す図であり、図１４は、絞りブレーキレバー５１の他端側の絞りブレーキバネ５２が、ラチェットギヤ軸２３ａの下方からラジアル方向に当接して、ラチェットギヤ軸２３ａの回転を制動する状態における、絞りブレーキレバー５１とカム６０との位置関係を示す図である。第２の実施の形態では、第１の実施の形態の円板５０に代えてカム６０によって絞りブレーキレバー５１を駆動する。すなわち、ギヤ４４と一体的に回動するカム６０が左回転すると、ローラ６１を介してカムフォロアとしての絞り停止レバー５１を駆動する。第２の実施の形態におけるラチェットギヤ軸２３ａに対する制動動作は、上述した第１の実施の形態と同一であるため、詳細な説明は省略する。第１の実施の形態に対して、第２の実施の形態では、カム６０の形状を工夫することで、ラチェットギヤ軸２３ａに対する制動動作における制動開始・終了タイミングや制動継続時間を容易に設定できる。また、カム６０のリフト量ｈで制動力の強弱も容易に設定できる。
【００４１】
上述したカメラの絞り制御装置の第２の実施の形態では、第１の実施の形態における作用効果に加え、次の作用効果を奏する。
（１）  カム６０の形状を工夫することで、ラチェットギヤ軸２３ａに対する制動動作における制動開始・終了タイミングや制動継続時間を容易に設定できる。また、カム６０のリフト量ｈで制動力の強弱も容易に設定できる。これにより、絞り込み動作およびリセット動作における効率を下げることなく、ピン１８ａと腕１５ｆとの離間と衝突により生じるバウンドを効果的防止して、撮影のコマ速を上げることができる。
【００４２】
上述の説明では、絞り制御装置について説明したが、本発明はこれに限定されない。たとえば、自動焦点駆動装置やフィルム給送装置やシャッタの駆動機構など、ギヤ列を有する他の機構にも、本発明は適用できる。
【００４３】
以上の実施の形態およびその変形例において、たとえば、絞り連動手段は、絞りレバー１８と増速ギヤ２２とおよびラチェットギヤとによって実現される。絞り停止手段は、絞り停止レバー２９とアーマチャ２８と絞りマグネットＭＧ２とによって実現される。絞り復帰手段は絞り連動レバー１５およびカム４５によって、制限手段は絞りブレーキレバー５１および絞りブレーキバネ５２によってそれぞれ実現される。絞り連動手段の第１の当接部はピン１８ａに、絞り復帰手段の第２の当接部は腕１５ｆにそれぞれ対応する。さらに、本発明の特徴的な機能を損なわない限り、本発明は、上述した実施の形態における機器構成に何ら限定されない。
【００４４】
【発明の効果】
絞り復帰手段により絞り連動手段を初期位置に復帰させる過程において、制限手段によって絞り復帰手段に連動して、復帰動作開始後、初期位置へ復帰する直前から絞り連動手段の復帰動作に制限を加えることとした。これにより、絞り込み動作および復帰動作における消費電力を増加させることなく、絞り復帰手段と絞り連動手段との離間と衝突により生じるバウンドを防止して、撮影のコマ速を上げることができる。
【図面の簡単な説明】
【図１】本発明によるカメラの絞り制御装置を搭載した一眼レフカメラボディとカメラボディに装着するレンズを示した斜視図である。
【図２】図１に示すカメラボディ内部の絞り制御装置の斜視図である。
【図３】絞りブレーキレバー５１と円板５０の位置関係を示す図であり、リセット動作開始直前の状態を示す。
【図４】絞りブレーキレバー５１と円板５０の位置関係を示す図であり、ラチェットギヤ軸２３ａの回転を制動した状態を示す。
【図５】円板５０の回転位相を基準とした各部の位相を示す図であり、リセット動作開始直前の状態を示す。
【図６】図５の状態から円板５０が略４５度左回転した位相における、各部の位相を示す図である。
【図７】図５の状態から円板５０が略９０度左回転した位相における、各部の位相を示す図である。
【図８】図５の状態から円板５０が略１３５度左回転した位相における、各部の位相を示す図である。
【図９】図５の状態から円板５０が略１８０度左回転した位相における、各部の位相を示す図である。
【図１０】図５の状態から円板５０が略２２５度左回転した位相における、各部の位相を示す図である。
【図１１】図５の状態から円板５０が略２７０度左回転した位相における、各部の位相を示す図である。
【図１２】図５の状態から円板５０が略３１５度左回転した位相における、各部の位相を示す図である。
【図１３】第２の実施の形態における、絞りブレーキレバー５１とカム６０との位置関係を示す図であり、リセット動作開始直前の状態を示す。
【図１４】第２の実施の形態における、絞りブレーキレバー５１とカム６０との位置関係を示す図であり、ラチェットギヤ軸２３ａの回転を制動した状態を示す。
【符号の説明】
１５  絞り連動レバー                  １５ｆ  腕
１７  バネ                            １８  絞りレバー
１８ｂ  扇形ギヤ                      ２２  増速ギヤ
２３  ラチェットギヤ                  ２３ａ  ラチェットギヤ軸
２９  絞り停止レバー                  ２９ｃ  係合部
３１  スタートレバー                  ３３  レリーズレバー
３６  レリーズマグネットリセットレバー    ３８  リセットレバー
４１  絞りマグネットリセットレバー    ４４  ギヤ
４５  カム                            ４６  レンズ側絞りレバー
４８  軸                              ５０  円板
５０ａ  ピン                          ５１  絞りブレーキレバー
５２  線バネ（絞りブレーキバネ）      ６０  カム
Ｘ１〜Ｘ６  軸
【図１】
2004252034.tif 000003
【図２】
2004252034.tif 000004
【図３】
2004252034.tif 000005
【図４】
2004252034.tif 000006
【図５】
2004252034.tif 000007
【図６】
2004252034.tif 000008
【図７】
2004252034.tif 000009
【図８】
2004252034.tif 000010
【図９】
2004252034.tif 000011
【図１０】
2004252034.tif 000012
【図１１】
2004252034.tif 000013
【図１２】
2004252034.tif 000014
【図１３】
2004252034.tif 000015
【図１４】
2004252034.tif 000016